(57)【要約】【課題】  分光プリズムの組み付けの作業性を向上させることのできるプリズムの取付構造を提供することを目的とする。【解決手段】  フロントフレーム２の後面に取り付けられたシャフト６１には、移動体７が前後方向に摺動自在に軸支されており、移動体７の後側には位置決めバネ６３が外嵌されている。また、制御ピン保持体３には、制御ピン５が軸支されており、制御ピン５の制御軸５３が、カラー５４と共に移動体７が備える制御体７ｂの制御長穴７１に挿入されている。制御ピン保持体３と、位置決めバネ６３の外嵌されたシャフト６１とには、押え板３３がネジ止めされている。移動体７の左面には、プリズム９３の接着されたプリズムベース９がネジ止めされている。シャフト６１は、移動体７に取り付けられた板バネ８に付勢されて、シャフト挿通孔７３の右側内周面に常時押し付けられて、左右方向の位置決めされている。【選択図】図４
2009237478.tif 000002
【特許請求の範囲】
【請求項１】
分光プリズムの固定されたプリズム固定部材と、
レンズマウントの一側側に位置してフランジバック調整方向に移動自在に支持体に支持され、前記レンズマウントの前記一側側に位置する前記プリズム固定部材の端部を保持するプリズム保持部材と、
フランジバック調整方向への前記プリズム保持部材の移動を制御する制御手段とを備えることを特徴とするプリズムの取付構造。
【発明の詳細な説明】
【技術分野】
【０００１】
本発明は、マウントレンズからの入射光を分光するプリズムの取付構造に関するものである。
【背景技術】
【０００２】
この種のプリズムの取付構造としては、下記の特許文献１に記載のフランジバック調整機構が開示されている。このフランジバック調整機構は、レンズマウントを挟んで左右に並んでフロントパネルに設けられた一対のガイド軸と、分光プリズムの接着されたプリズムベースとを、レンズマウントの設けられたテレビジョンカメラの筐体内に備えている。各ガイド軸は、レンズマウントの光軸と平行に延びている。プリズムベースの左右の側部には、側板部が設けられている。左側板部にはガイド軸の挿通孔が形成されており、右側板部には右側板部と平行に向かい合う保持部が設けられている。右側板部及び保持部は、互いで側面視コの字形を呈しており、それぞれの対向する位置にガイド軸の挿通孔が形成されている。
【０００３】
プリズムベースは、右側板部及び保持部の挿通孔に右側のガイド軸を、左側板部に左側のガイド軸をそれぞれ挿通してフロントパネルに取り付けられ、補強金具を介して分光プリズムをネジ止めしている。
【０００４】
プリズムベースの右側板部と保持部との間には、プリズムベースの位置調整用のダイヤル及びコイルバネが、右側板部側からこの順でガイド軸に外嵌されて介装されている。ダイヤルはガイド軸に螺着されており、回転操作されるとネジ動作してガイド軸を前後に移動し、コイルバネを介して一体化されたプリズムベースを、プリズムアクセサリと共に前後移動させる。これにより、フランジバックの調整が行われる。
【０００５】
【特許文献１】特開２００１−１７７７５４号公報
【発明の開示】
【発明が解決しようとする課題】
【０００６】
上記従来のフランジバック調整機構では、プリズムベースの左右の両側部に補強金具を介してプリズムアクセサリをネジ止めし、レンズマウントを跨いだフロントパネルの左右の両側部でプリズムベースを位置決めして取り付ける作業が煩雑であった。
【０００７】
本発明は斯かる課題に鑑みてなされたもので、分光プリズムの組み付けの作業性を向上させることのできるプリズムの取付構造を提供することを目的とする。
【課題を解決するための手段】
【０００８】
このような目的を達成するために、本発明のプリズムの取り付け構造は、分光プリズムの固定されたプリズム固定部材と、レンズマウントの一側側に位置してフランジバック調整方向に移動自在に支持体に支持され、前記レンズマウントの前記一側側に位置する前記プリズム固定部材の端部を保持するプリズム保持部材と、フランジバック調整方向への前記プリズム保持部材の移動を制御する制御手段とを備えることを特徴とする。
【発明の効果】
【０００９】
本発明によれば、プリズム保持部材へのプリズム固定部材の取付作業をレンズマウントの一側側で行えることから、分光プリズムの組み付けの作業性を向上させることができる。
【発明を実施するための最良の形態】
【００１０】
以下、図面を参照して、本発明の最良の形態について説明する。
図１は、本実施形態のテレビジョンカメラの筐体１の外観構成の概略を示す斜視図である。図２は、筐体１に内蔵されたフランジバック調整機構のフロントフレーム２の後方からの分解斜視図である。図３は、制御ピン５の構成の概略を模式的に示す図である。なお、以下の説明で用いる前後，左右，上下の各方向は説明に用いる各図に示している。
【００１１】
テレビジョンカメラは、図１に示す筐体１の前端面にマウント方式のレンズ（不図示）を取り付けて構成されている。筐体１は、互いに組み合わされて筒状を呈したトップパネル１ａ及びボトムパネル１ｂの前端にフロントフレーム２を、後端にリアフレーム１ｃをそれぞれ取り付けて構成されている。筐体１には、レンズ（不図示）からの入射光を、Ｒ（レッド），Ｂ（ブルー），Ｇ（グリーン）に分光し、各光毎に設けられた撮像素子（ＣＣＤ）に導くための３板式プリズム光学系と、プリズム光学系のフランジバックを調整するためのフランジバック調整機構とが内蔵されている。
【００１２】
図２に示すように、フロントフレーム２は、略矩形の平板体から構成されており、その中央部には円形のマウント装着孔２ａが形成されている。マウント装着孔２ａには、リング状の図示しないレンズマウントが嵌め込まれる。レンズマウントは、マウント方式のレンズを取り付けるためのものであり、内周面にはレンズのマウントを螺着する雌ネジ部が設けられている。
【００１３】
マウント装着孔２ａの右側には、後述するシャフト６１のネジ止めされるシャフト取付孔２１が形成されている。シャフト取付孔２１の軸心の上下位置は、マウント装着孔２ａの軸心の上下位置と同じ位置に設定されている。シャフト取付孔２１の下方に位置するマウント装着孔２ａの右側には、後述するガイドピン６２のネジ止めされるピン取付孔２２が形成されている。
【００１４】
フロントフレーム２の内面の右縁部には、マウント装着孔２ａを挟んだ上端側及び下端側に位置して、一対の保持体取付孔２３が形成されている。保持体取付孔２３には、後述する制御ピン保持体３のネジ止めに用いるネジＡが螺着される。また、フロントフレーム２の内面の四隅には、トップパネル１ａ又はボトムパネル１ｂとのネジ止めに用いられるネジ止片２ｂが設けられている。各ネジ止片２ｂには、ネジ止め用のネジの螺着するネジ孔、又は、ネジ止め用のネジの挿通孔が形成されている。
【００１５】
保持体取付孔２３にネジ止めされてフロントフレーム２の内面に取り付けられる制御ピン保持体３は、略四角ブロック状を呈した本体３ａと、本体３ａの前縁部の上端から上方に、下端から下方にそれぞれ延出した四角板状の一対の延出片３ｂ，３ｂとを備える形状を呈している。各延出片３ｂには、上述したフロントフレーム２の保持体取付孔２３に螺着されるネジＡの挿通孔３ｂ１が形成されている。
【００１６】
本体３ａの右面には、四角板状を呈した膨出部３ｄが設けられている。膨出部３ｄは、本体３ａの上下方向の中央部に位置して、本体３ａの前縁から後方に向けて、本体３ａの前後方向の中央部まで延びている。膨出部３ｄには、前面から後面にかけてを貫通する円形の球体収納孔３１が形成されている。球体収納孔３１には、球体４１及び付勢バネ４２が後側からこの順序で、球体収納孔３１の延設方向に移動自在に収納される。球体収納孔３１の前端開口部には、移動規制ネジ４３の螺着される雌ネジ部（不図示）が設けられている。球体収納孔３１に収納された球体４１及び付勢バネ４２は、球体収納孔３１の前端開口部に螺着された移動規制ネジ４３により前方への移動を規制される。
【００１７】
本体３ａには、膨出部３ｄの後方に位置して右面から左面にかけて貫通する円形のピン挿通孔３２が形成されている。ピン挿通孔３２は、後述する制御ピン５の挿通される孔であり、膨出部３ｄの球体収納孔３１の軸心と略直角に交わる軸心を備えている。ピン挿通孔３２に挿通される制御ピン５は、略円板状を呈した頭部５１と、頭部５１の左端面から左方に延びる軸部５２とを備えている。頭部５１の外周面には、左右の両端部間に亘って左右方向に延びる凹溝５１ｂが、その周方向に沿って等間隔で複数形成されている。また、頭部５１の右端面には、工具を嵌入させて制御ピン５を時計回り又は反時計回りに回転させる操作溝５１ａが、その経方向に延びて形成されている。
【００１８】
軸部５２は、ピン挿通孔３２の内径とほぼ等しい外径、及び、ピン挿通孔３２の長さとほぼ同じ長さを有しており、その左端面からは制御軸５３が左方に突出している。制御軸５３は、軸部５２の軸心に対して偏心した軸心を有した円柱体であり、図３に示すように、制御ピン５の軸部５２がピン挿通孔３２に挿入されると、ピン挿通孔３２の左端開口部から本体３ａの左方に突出する。制御軸５３には、円筒状を呈したステンレス製のカラー５４が外嵌されて取り付けられる。カラー５４の外径は、後述する移動体７の制御長穴７１の前後の幅とほぼ等しく、又は制御長穴７１の前後の幅よりもやや短く設定されている。
【００１９】
ピン挿通孔３２内での制御ピン５の回転に伴い軸部５２の軸心５２Ａを中心として制御長穴７１内を回転するカラー５４の軸心５３Ａの回転直径は、制御長穴７１を備えた後述する移動体７の前後の移動限間の距離と等しく設定されている。つまり、制御軸５３の軸心５３Ａは、制御長穴７１を備える移動体７の中立位置から前後の各移動限までの距離と等しい距離Ｌだけ、軸部５２の軸心５２Ａから経方向にずれて位置している。
【００２０】
図２に示すように、本体３ａの後端面には、押え板３３をネジ止めするネジＣの螺着される一対のネジ孔３ａ１，３ａ１が、上下方向に並んで形成されている。押え板３３は、右縁部が前方に屈曲して屈曲片３３ａを構成している。屈曲片３３ａは、ピン挿通孔３２に挿通された制御ピン５の頭部５１の後側周縁部の右側に位置して、制御ピン５の左右方向の位置決めをするためのものである。
【００２１】
フロントフレーム２のシャフト取付孔２１に取り付けられるシャフト６１は、丸棒体の前端部にフランジ６１ａを備えて構成されており、フランジ６１ａより前側がフロントフレーム２への取付部６１ｂ、後側が後述する移動体７の軸支部６１ｃとなっている。取付部６１ｂは、フロントフレーム２のシャフト取付孔２１に後方から螺着されて、フロントフレーム２にシャフト６１をネジ止めする。軸支部６１ｃの後端面には、上述した押え板３３をネジ止めするネジＣの螺着される板取付孔６１ｄが開口している。軸支部６１ｃには、位置決めバネ６３が外嵌される。
【００２２】
位置決めバネ６３は、軸支部６１ｃに軸支された移動体７を前方に付勢するためのものであり、押え板３３に後端を押さえられて圧縮され、その弾発力で移動体７を前方に付勢する。ガイドピン６２は、フランジ６２ａの前側がシャフト６１の取付部６１ｂと同様に構成されてフロントフレーム２に取り付けられる取付部６２ｂ、後側が後述する移動体７の左右方向への回転を規制する回転規制部６２ｃとなっている。
【００２３】
シャフト６１に軸支される移動体７は、四角ブロック体の左右方向の中央部から右端にかけての前後方向の中央部を、上面から上下方向の中央部まで四角ブロック状に切り欠いた概略形状の本体７ａと、本体７ａの後面から後方に延びた制御体７ｂと、本体７ａの下面から下方に延びたガイド片７ｃとを一体にして構成されている。制御体７ｂは、略四角ブロック状を呈しており、右面の前後方向の中央部に開口する制御長穴７１を備えている。
【００２４】
制御長穴７１は、制御体７ｂの右面に上下方向に延びて開口しており、制御軸５３及びカラー５４とほぼ同じ又は制御軸５３及びカラー５４の長さよりも長い左右方向の深さを有している。ガイド片７ｃは、四角板状を呈しており、その前面から後面にかけてを貫通するガイド孔７２を備えている（図４，図６参照）。ガイド孔７２は、ガイドピン６２の回転規制部６２ｃの外径とほぼ同じ、又はやや広い幅を有して上下方向に延びる長孔から構成されている。
【００２５】
本体７ａ及び制御体７ｂには、本体７ａの前壁を前面から後面にかけて貫通した後、本体７ａの後壁から制御体７ｂの後面にかけてを貫通して、前後方向に延びるシャフト挿通孔７３が形成されている。シャフト挿通孔７３は、シャフト６１の軸支部６１ｃの外径とほぼ同じ、又は、やや大きな内径を有する円形に形成されている。
【００２６】
また、本体７ａの左壁には、移動体７にプリズムベース９をネジ止めするネジＢの挿通孔７ａ１が形成されている（図５参照）。また、左壁の左面には、挿通孔７ａ１を挟んで前後方向に並んだ一対の嵌合突部７ａ２，７ａ２が設けられている（図５参照）。各嵌合突部７２ａ，７２ａは、後述するプリズムベース９の嵌入孔９２，９２に嵌入されて、挿通孔７ａ１に挿通されたネジＢと共にプリズムベース９を移動体７に固着し、また、挿通孔７ａ１を中心とする回転方向へのプリズムベース９の移動を規制する。
【００２７】
本体７ａには、シャフト６１をシャフト挿通孔７３の内周面に押し付ける板バネ８が取り付けられる。板バネ８は、金属製の略矩形の平板８ａの前端部及び後端部の右縁部から下方に延びた係止片８１，８１と、平板８ａの前後方向の中央部の左縁から下方に延びた押圧片８２とを備えて構成されている。板バネ８は、係止片８１の下端を本体７ａの下面に係止させると共に、押圧片８２をシャフト６１の軸支部６１ｃの左側面に押し付け、係止片８１と押圧片８２との間隔を広げて弾性変形して、移動体７に取り付けられ、軸支部６１ｃを右方に付勢して、シャフト挿通孔７３の右側内周面に押し付ける。
【００２８】
移動体７に取り付けられるプリズムベース９は、プリズム９３を移動体７に固定するためのセラミック製の略四角ブロック体であり、左面にプリズム９３の右面を接着されている。プリズムベース９の右面の中央部には、プリズムベース９を移動体７にネジ止めするネジＢの螺着されるネジ穴９１が形成されている。また、ネジ穴９１を挟んだ右面の前側及び後側には、嵌合突部７ａ２，７ａ２（図５参照）の嵌入する嵌入穴９２，９２が設けられている。
【００２９】
プリズムベース９に接着されたプリズム９３は、分光した３色の光の出射面毎に取付板９３ａを備えている。各取付板９３ａには、分光した各色の撮像用のＣＣＤを備えたＣＣＤ固定板９４が取り付けられる。ＣＣＤ固定板９４は、取付板９３ａへの取付面にパッキン９４ａを備えており、取付板９３ａの備える取付窓９３ｂの周縁部にパッキン９４ａを押し付けて取付板９３ａに取り付けられる。
【００３０】
このような構成を有するフランジバック調整機構による、フロントフレーム２へのプリズム９３の取付構造について説明する。図４〜図６は、フランジバック調整機構によるプリズム９３の取付構造を示す図である。図４は、プリズム９３の取付構造を右方から見た断面図であり、（ａ）は移動体７の支持構造，（ｂ）は制御ピン５の支持構造を示している。図５は、プリズム９３の取付構造を上方から見た断面図であり、（ａ）は移動体７の支持構造，（ｂ）は制御ピン５の支持構造を、移動体７へのプリズムベース９の取付構造と共に示している。図６は、プリズム９３の取付構造を後方から見た断面図であり、（ａ）は移動体７及びプリズムベース９の取付構造，（ｂ）はシャフト６１の位置決め構造を示している。
【００３１】
図４（ａ）に示すように、フロントフレーム２の後面には、シャフト取付孔２１にネジ止めされたシャフト６１と、ピン取付孔２２にネジ止めされたガイドピン６２とが、それぞれ取り付けられている。シャフト６１には、シャフト挿通孔７３にシャフト６１を挿通させた移動体７が、前後方向に摺動自在に軸支されており、移動体７の後側には位置決めバネ６３が外嵌されている（図５（ａ）も参照）。移動体７は、ガイド片７ｃのガイド孔７２にガイドピン６２を挿通されて、シャフト６１を中心とする回転が規制されている（図６も参照）。また、図４（ｂ）に示すように、フロントフレーム２の後面には、延出片３ｂ，３ｂをネジ止めして制御ピン保持体３が取り付けられている（図６も参照）。
【００３２】
図５に示すように、制御ピン保持体３のピン挿通孔３２には、制御ピン５の軸部５２が挿通されており、軸部５２の左端から突出した制御軸５３が、移動体７が備える制御体７ｂの制御長穴７１に、カラー５４と共に挿入されている（図４（ｂ）も参照）。図５（ｂ）に示すように、制御ピン保持体３が備える膨出部３ｄの球体収納孔３１には、球体４１が収納されて付勢バネ４２により後方に常時付勢されており、球体収納孔３１の後端開口部から後端部を突出させている（図４（ｂ）も参照）。球体４１は、制御ピン５の頭部５１が備える凹溝５１ｂに進入して頭部５１の外周面を押圧し、制御ピン５の回転を規制している（図４（ｂ）も参照）。
【００３３】
図５に示すように、制御ピン保持体３の本体３ａと、位置決めバネ６３の外嵌されたシャフト６１とには、押え板３３がネジ止めされている（図４も参照）。位置決めバネ６３は、押え板３３に圧縮されて移動体７を前方に付勢して、制御ピン５の制御軸５３に外嵌されたカラー５４に、制御長穴７１の後側内面を常時押し付けている。押え板３３の屈曲片３３ａは、制御ピン５が備える頭部５１の後側周縁部右側に位置して、制御ピン５の左右方向の位置決めをしている（図４（ｂ）も参照）。移動体７の左面には、プリズム９３の接着されたプリズムベース９が、嵌入穴９２，９２に嵌入された一対の嵌合突部７ａ２，７ａ２で位置決めされて、ネジ止めされている。
【００３４】
図６（ｂ）に示すように、シャフト６１は、移動体７に取り付けられた板バネ８の押圧片８２から右方に付勢され、シャフト挿通孔７３の右側内周面に常時押し付けられて、左右方向の位置決めをされている（図５（ａ）も参照）。
【００３５】
次に、上述のように構成されるフランジバック調整機構の動作を説明する。
【００３６】
頭部５１の操作溝５１ａに工具を挿入し、制御ピン５を軸心を中心として時計回り又は反時計回りに回転させると、球体４１を介して付勢バネ４２から加えられる付勢力に抗して、制御ピン５が操作方向に回転する。この回転に伴い頭部５１の各凹溝５１ｂに球体４１が進退を繰り返すと、制御ピン５の回転操作に必要な力もこれに応じて繰り返し変化する。
【００３７】
また、制御軸５３は、制御ピン５の軸心を中心として回転し、外嵌されたカラー５４の外周面を制御長穴７１の内周面に摺接させて上下方向に移動しながら、制御体７ｂを備える移動体７と共に前後に移動する。移動体７に固着されたプリズムベース９は、移動体７の前後方向への移動に従い、プリズム９３を前後に移動させる。このようにして、フランジバックの調整が行われる。
【００３８】
以上説明したように、本実施形態のテレビジョンカメラによれば、プリズム９３を挟んでレンズマウント（マウント装着孔２ａ）の右側に位置したプリズムベース９の右端部を、移動体７で保持して構成していることから、移動体７へのプリズムベース９の取付作業を、レンズマウントの右側で行うことができる。このため、プリズム９３のフロントフレーム２への組み付けの作業性を向上させることができる。
【００３９】
また、本実施形態のテレビジョンカメラによれば、制御ピン５の頭部５１に対する回転操作に応じて、フランジバック調整方向である前後方向に沿って制御軸５３が回転し、移動体７の制御長穴７１が、回転する制御軸５３方向に押圧されて移動体７をフランジバック調整方向に移動させることから、制御ピン５の頭部５１を１回転させることにより、移動体７を両端の移動限間で往復移動させることができる。このため、フランジバックの調整操作を簡略化することができる。
【００４０】
また、本実施形態のテレビジョンカメラによれば、移動体７を位置決めバネ６３でフランジバック調整方向に付勢して制御長穴７１を制御軸５３方向に押し付け、制御ピン５に対する移動体７のフランジバック調整方向への位置決めをしていることから、フランジバック調整の精度を高めることができる。また、撮影時に移動体７に加えられる振動等を抑えることができる。
【００４１】
また、本実施形態のテレビジョンカメラによれば、移動体７を軸支するシャフト６１の側面に移動体７を押し付けて、フランジバック調整方向に直行する方向へのシャフト６１に対する移動体７の位置決めをしていることから、フランジバック調整の精度を高めることができる。また、撮影時に移動体７に加えられる振動等を抑えることができる。
【００４２】
また、本実施形態のテレビジョンカメラによれば、制御軸５３と制御長穴７１との間に介装されたカラー５４で、制御軸５３を制御長穴７１に対して滑動させられるので、制御軸５３の回転に伴う移動体７の上下動を抑えることができる。このため、フランジバック調整の精度を高めることができる。つまり、制御長穴７１内側面に摺接して上下動する制御軸５３から移動体７に上下方向への力が加わり、シャフト６１と移動体７の隙間分だけ移動体７が上下するため、プリズムベース９を介して移動体７に固定されたプリズム９３の光軸がズレる虞があるが、制御軸５３にカラー５４を外嵌して滑走性を向上させ、制御長穴７１の内側面を摺接する際に生じる摩擦抵抗を減少させることで、移動体７を上下動させることなく前後移動させることができ、スムーズな動きのフランジバック調整が可能となる。
【００４３】
また、本実施形態のテレビジョンカメラによれば、プリズム９３がプリズムベース９に右側面を接着して固定されていることから、マウントレンズ（不図示）の光軸に対するプリズム９３の位置ずれを抑えて、精度の高い撮影を行うことができる。例えば、プリズム９３を両側から挟み込むようにプリズムベース９で支持し、支持した両側面を接着剤やネジ止めでプリズムベース９に固定する場合には、撮影時等の熱でプリズムベース９及びプリズム９３が膨張すると両者の線膨張率の違いにより、接着剤の剥がれやプリズムへの過大な負荷を生じさせ、撮影の精度が低下する虞がある。しかしながら、プリズムの一側面をプリズムホルダに固定する本実施形態の構成によれば、プリズム及びプリズムホルダの線膨張率の違いの影響を抑え、撮影の精度が低下するのを防止することができる。
【００４４】
上記実施形態では、テレビジョンカメラの筐体１に３板式プリズム光学系が内蔵される場合について説明したが、４板式プリズム光学系等の他のプリズムを備える構成としてもよい。また、シャフト６１，ガイドピン６２，及び制御ピン保持体３のフロントフレーム２への取付方法も任意であり、また、これらはフロントフレーム２と一体に形成されていてもよい。また、シャフト６１，ガイドピン６２，及び制御ピン保持体３は、トップパネル１ａやボトムパネル１ｂに設けられていてもよい。
【００４５】
また、上記実施形態では、移動体７をシャフト６１に軸支して、前後方向に移動自在に支持した場合について説明した。しかしながら、移動体７をフランジバック調整方向である前後方向に移動自在に支持する構成は任意である。また、シャフト６１に対する移動体７の回転を規制できるのであれば、ガイドピン６２を備えない構成としてもよい。
【００４６】
また、上記実施形態では、制御ピン５の頭部５１の操作溝５１ａに工具を挿入し、制御ピン５を時計回り又は反時計回りに回転させた場合について説明したが、制御ピン５を回転させる方法は任意であり、例えば、頭部５１の操作溝５１ａに代えて経方向に延びる突起を設け、その突起を手で摘んで回転させてもよい。
【００４７】
また、上記実施形態では、制御ピン５の頭部５１の外周面に球体４１を押し当てて、制御ピン５の回転角度を操作者に報知すると共に、制御ピン５の回転を規制した場合について説明した。しかしながら、制御ピン５の回転角度の報知や制御ピン５の回転規制を他の手段で行ってもよく、また、これらを行う必要がない場合には、球体４１を頭部５１の外周面に押し当てる必要は必ずしもない。
【００４８】
また、上記実施形態では、押え板３３の屈曲片３３ａで制御ピン５の頭部５１を右側から支持した場合について説明した。しかしながら、ピン挿通孔３２からの制御ピン５の脱落を防止できるのであれば、屈曲片３３ａを備える必要は必ずしもない。また、制御ピン５の構成は、頭部５１の回転操作に応じて制御長穴７１内で制御軸５３を回転させて、移動体７を前後移動させることができるのであれば任意である。
【００４９】
上記実施形態では、被押圧部が制御長穴７１から構成されている場合について説明したが、制御体７ｂの上下方向に伸びる切欠を制御長穴７１に代えて設け、この切欠の前後の内面を被押圧部としてもよい。また、上記実施形態では、プリズム９３をプリズムベース９に接着して取り付けた場合について説明したが、ネジ止め等の他の方法で取り付けることもできる。
【００５０】
移動体７へのプリズムベース９の取付方法は、ネジ止めに限らない。また、上記実施形態では、板バネ８を用いてシャフト６１をシャフト挿通孔７３の内周面に押し付けた場合について説明したが、例えば、移動体７の上下又は左右の何れかの面からシャフト挿通孔７３にかけて貫通するネジ孔を設け、このネジ孔に鋼球、コイルバネを挿入した後、ネジで固定し、鋼球の押力によりシャフト６１をシャフト挿通孔７３の内周面に押し付けてもよい。また、板バネ８の形状も任意であり、例えば、係止片８１及び押圧片８２の数量は適宜選択することができる。
【００５１】
以上、本発明の実施形態について説明したが、本発明の実施態様としては、以下のものを挙げることができる。
実施態様１のプリズムの取付構造は、分光プリズムの固定されたプリズム固定部材と、レンズマウントの一側側に位置してフランジバック調整方向に移動自在に支持体に支持され、前記レンズマウントの前記一側側に位置する前記プリズム固定部材の端部を保持するプリズム保持部材と、フランジバック調整方向への前記プリズム保持部材の移動を制御する制御手段とを備えることを特徴とする。
また、実施態様２のプリズムの取付構造は、実施態様１において、前記制御手段が、操作部に対する回転操作に応じて、フランジバック調整方向に沿って出力部を回転させる回転押圧体と、前記プリズム保持部材に設けられ、回転する前記出力部に押圧されて前記プリズム保持部材をフランジバック調整方向に移動させる被押圧部とを備えることを特徴とする。
また、実施態様３のプリズムの取付構造は、実施態様２において、前記プリズム保持部材をフランジバック調整方向に付勢して、前記被押圧部を前記出力部に押し付ける付勢手段を備えることを特徴とする。
また、実施態様４のプリズムの取付構造は、実施態様２又は３において、前記出力部と前記被押圧部との間に介装されて、前記出力部を前記被押圧部に対して滑動させる滑動部材を備えることを特徴とする。
また、実施態様５のプリズムの取付構造は、実施態様１〜４の何れかにおいて、フランジバック調整方向に移動自在に前記プリズム保持部材を前記支持体に軸支する支軸と、前記プリズム保持部材をフランジバック調整方向と直交する方向に付勢して、前記支軸に押し付ける付勢手段とを備えることを特徴とする。
【図面の簡単な説明】
【００５２】
【図１】本発明の一実施形態のテレビジョンカメラの筐体の外観構成の概略を示す斜視図である。
【図２】筐体に内蔵されたフランジバック調整機構のフロントフレームの後方からの分解斜視図である。
【図３】制御ピンの構成の概略を模式的に示す図である。
【図４】フランジバック調整機構によるプリズムの取付構造を示す第１の図である。
【図５】フランジバック調整機構によるプリズムの取付構造を示す第２の図である。
【図６】フランジバック調整機構によるプリズムの取付構造を示す第３の図である。
【符号の説明】
【００５３】
１      筐体
２      フロントフレーム
３      制御ピン保持体
３１    球体収納孔
３２    ピン挿通孔
３３    押え板
４１    球体
４２    付勢バネ
５      制御ピン（制御手段，回転押圧体）
５１    頭部（操作部）
５２    軸部
５３    制御軸（出力部）
５４    カラー（滑動部材）
６１    シャフト（支軸）
６２    ガイドピン
６３    位置決めバネ（付勢手段）
７      移動体（プリズム保持部材）
７ａ１  挿通孔
７ａ２  嵌合突部
７１    制御長穴（制御手段，被押圧部）
７２    ガイド孔
７３    シャフト挿通孔
８      板バネ（付勢手段）
９      プリズムベース（プリズム固定部材）
９３    プリズム（分光プリズム）
９３ａ  取付板
９４    ＣＣＤ固定板
９４ａ  パッキン
【図１】
2009237478.tif 000003
【図２】
2009237478.tif 000004
【図３】
2009237478.tif 000005
【図４】
2009237478.tif 000006
【図５】
2009237478.tif 000007
【図６】
2009237478.tif 000008